(57)【要約】【課題】  建築物の一部又は全部の窓の近傍に、複数の照明手段を配置することで見る者の注意を引き、光と色彩の調和と変化によって、建築物をリアルに表現できる建築物の模型を提供することを目的とする。【解決手段】  複数の窓１２，１２・・を有する建築物の立体的な模型１であり、前記窓１２，１２・・の一部又は全部に色彩手段１３，１３・・を構成すると共に、窓１２，１２・・の近傍に複数の照明手段２９，２９・・を配置し、前記照明手段２９，２９・・の照明をコントロールする制御装置４を構成した建築物の模型。【選択図】図１
2012083388.tif 000002
【特許請求の範囲】
【請求項１】
複数の窓を有する建築物の立体的な模型であり、前記窓の一部又は全部に色彩手段を構成すると共に、窓の近傍に複数の照明手段を配置し、前記照明手段の照明をコントロールする制御装置を構成したことを特徴とする建築物の模型。
【請求項２】
前記照明手段を、前記制御装置によって一定時間をおいて順次点灯又は消灯させるようにしたことを特徴とする請求項１記載の建築物の模型。
【請求項３】
前記照明手段をＬＥＤとし、前記色彩手段を窓に貼付した有色フイルムとし、かつ窓の内側に人の図形を描いた補助板を配置したことを特徴とする請求項１又は２記載の建築物の模型。
【請求項４】
前記照明手段の点灯と同期して、所定の香りを放出する芳香発生装置と所定の音楽を流す音響装置を備えたことを特徴とする請求項１、２、３記載の建築物の模型。
【請求項５】
建築物の周囲に、プロジェクタとスクリーンを配置し、このスクリーンに、前記プロジェクタによって自然の風景あるいは建築予定地の風景の映像を投影することを特徴とする請求項１、２、３、４記載の建築物の模型。
【発明の詳細な説明】
【技術分野】
【０００１】
本発明は、マンション、アパートなどの高層の集合住宅あるいはオフィスビルなどの建築物の模型に関するものである。
【背景技術】
【０００２】
従来より家屋等の模型において、室内に照明装置を配したものがあった。たとえば特許文献１の発明では、透明な卓上ミニハウスの内部に電源配線、照明灯等を設けている。しかし、この発明は発電システムを学習するための教材であり、部屋あるいは室内の装飾用の照明手段ではなかった。
【先行技術文献】
【特許文献】
【０００３】
【特許文献１】特開２００４−２８００３３号公報
【０００４】
前記特許文献１記載の発明は、住宅展示場などで使用される展示用ではないため、建物を明るく見せる効果もなく、模型をリアルに展示することができなかった。
【発明の概要】
【発明が解決しようとする課題】
【０００５】
本発明は上記問題点を解決するもので、建築物の一部又は全部の窓の近傍に、複数の照明手段を配置することで見る者の注意を引き、光と色彩の調和と変化によって、建築物をリアルに表現できる建築物の模型を提供することを目的とする。
【課題を解決するための手段】
【０００６】
本発明の要旨とするところは、複数の窓を有する建築物の立体的な模型であり、前記窓の一部又は全部に色彩手段を構成すると共に、窓の近傍に複数の照明手段を配置し、前記照明手段の照明をコントロールする制御装置を構成した建築物の模型である。
【０００７】
また、本発明の要旨とするところは、前記照明手段を、前記制御装置によって一定時間をおいて順次点灯又は消灯させるようにした建築物の模型である。
【０００８】
また、本発明の要旨とするところは、前記照明手段をＬＥＤとし、前記色彩手段を窓に貼付した有色フイルムとし、かつ窓の内側に人の図形を描いた補助板を配置した建築物の模型である。
【０００９】
また、本発明の要旨とするところは、前記照明手段の点灯と同期して、所定の香りを放出する芳香発生装置と所定の音楽を流す音響装置を備えた建築物の模型である。
【００１０】
また、本発明の要旨とするところは、建築物の周囲に、プロジェクタとスクリーンを配置し、このスクリーンに、前記プロジェクタによって自然の風景あるいは建築予定地の風景の映像を投影する建築物の模型である。
【発明の効果】
【００１１】
請求項１記載の発明は、建築物の模型の内部に窓に対応した複数の照明手段を配置し、この照明手段を制御装置でコントロールすることで、窓に映る照明の色彩に変化を持たせ建築物を美麗に表現でき、かつ何種類もの光が各部屋ごとに灯され、あたかも中に人がいて電気をつけたように見え、模型が現実の住宅やオフィスビルと同じようにリアルに表現される。そのため見る者の注意を引き、同時に当該住宅に住みたくなるため購買意欲や賃借を望む気持ちが高まり、またオフィスビルでも購買意欲や賃借を望む気持ちが高まるのである。
【００１２】
請求項２記載の発明は、前記照明手段を、前記制御装置によって一定時間をおいて順次点灯又は消灯させることで、点灯又は消灯を任意の時間間隔に設定できるため、建築物の窓に映る照明に変化を持たせることができるため、模型がよりリアルになる。
【００１３】
請求項３記載の発明は、前記照明手段をＬＥＤを用いたため、少ない電力で安定した照明を得ることができる。さらに窓に有色フイルムを貼付することで、色彩手段の取り付けや変更が簡単に行え、有効に窓の色彩に変化を加えることができる。
また、人の図形を描いた補助板を用いることにより、窓に人影を投影して室内に居住する人を表現することができ、よりリアルな建築物の模型を提供できる。
【００１４】
請求項４記載の発明は、照明手段の点灯と同期して、所定の香りを放出する芳香発生装置と所定の音楽を流す音響装置を備えたため、単に照明の効果だけでなく、それに伴って提供される香りと音楽によって、模型を見る者を心地よい気分にさせ、建築物の印象を良くし、さらには購買意欲や賃借を望む気持ちを高めることができる。
【００１５】
請求項５記載の発明は、建築物の周囲に配置したスクリーンに、季節感を表わす自然の風景や建築予定地の風景の映像を投影することで、当該建築物の現在の状況あるいは季節の移り変わりが擬似体験でき、同時に建築部の経時的な光の変化も表わせるため、見る者にとって建築物の環境がよりリアルに理解でき、購買意欲や賃借を望む気持ちを高めることができる。
【図面の簡単な説明】
【００１６】
【図１】実施形態１の模型と基台の全体斜視図
【図２】実施形態１の模型と基台の縦断面の模式図
【図３】壁と枠体の関係を示す模式図
【図４】壁と枠体の関係を示す一部切欠平面断面図
【図５】補助板の一部切欠正面図と壁と枠体の関係を示す一部切欠側面図
【図６】実施形態２の模型と基台の縦断面の模式図
【図７】実施形態３の全体斜視図
【発明を実施するための形態】
【００１７】
以下に説明する本発明の各実施形態では、建築物として集合住宅であるマンションの模型について説明するが、本発明はこれに限定されずオフィスビルなどの建築物の模型も含まれるものである。
【００１８】
本発明の実施形態１を説明する。
図１に示すように、マンションの模型１は一定の高さを有する基台２の上に固定していて、周囲には樹木３，３・・などの点景を配置している。模型１、基台２の大きさ、形状、色彩などは任意に決定できる。
【００１９】
図３に示すように、模型１の表面の壁１１を穿設して複数の窓１２，１２・・を構成し、この全部の窓１２に壁１１の内側からフイルム１３を貼付してある。フイルム１３は透明あるいは任意の色彩を有している。前記窓１２の大きさや形状、あるいは壁１１の形状、凹凸なども任意に決定できる。
【００２０】
図２は、模型１の内部を示す模式図であり、壁１１の内側全面にわたって、９個の枠体２０が固定されていることを示している。
【００２１】
この枠体２０は、図３、図４に示すように、所定の大きさの上板２１と下板２２及び側板２３、２４を組み合わせて構成する。
この枠体２０の内部を、２枚の縦の仕切り板２５と３枚の横の仕切り板２６によって仕切り、１２個のスペース２７，２７・・を構成する。この各スペース２７内に、それぞれ１個ずつ照明手段としてのＬＥＤ２９を取り付ける。これらのＬＥＤ２９は、それぞれ異なった発色をする。
【００２２】
前記枠体２０には、補助板３０を取り付ける。図５（Ａ）に示すように、補助板３０は透明のアクリル製の長尺板であり、前記側板２３と同一の長さであり、表面に人の図形３１を黒色で一定間隔に表示してある。この補助板３０を、図５（Ｂ）に示すように、前記枠体２０の上板２１の長孔２１ａと横板２６の窓側に穿設した長孔２６ａに貫通させて窓１２に面して取り付ける。
【００２３】
このように構成した枠体２０を、図３に示すように壁１１の内側全面に固定して図２の状態とする。このとき、窓１２からＬＥＤ２９の照明が見えるように設定する。
この枠体２０やスペース２７あるいはＬＥＤ２９の個数や大きさなどは、窓１２の数や大きさ、形状あるいは壁１１の形状などに基づいて決定する。
したがって、各スペース２７は、各窓１２の大きさと同一とは限らず、かつ窓１２の位置に対応しているとは限らないため、１個のＬＥＤ２９が複数の窓１２を照明することもある。
【００２４】
前記すべてのＬＥＤ２９は並列に連結されていて、前記制御装置４によって電線（図示せず）で結合され、点灯時期や照度等をコントロールされる。
【００２５】
前記模型１を固定した基台２の内部には、制御装置４及び人感センサ８を設けてなり、制御装置４及び人感センサ８の電源である電池５が内蔵されている。また、この電池５はＬＥＤ２９の電源も兼ねる。また、電源は通常の商用電源を使用することもできる。
【００２６】
次に実施形態１の作用を説明する。
基台２内部の制御装置４を作動させてＬＥＤ２９を点灯する。この場合、各々のＬＥＤ２９は、制御装置４内のタイマーによって、一定時間の間隔をおいて下部から上部に向かって順次点灯させ、その逆の順序で消灯させるようにする。
【００２７】
前記の方法のほかに、基台２内の人感センサ８によって、模型を見る者が近づくとＬＥＤ２９が点灯する構成にすることもできる。
【００２８】
これによって、模型１は、時間の経過とともに下層階から上層階に向かって各窓１２から順次ＬＥＤ２９の照明が漏れてくる上に、窓１２に貼付したフイルム１３の効果で各窓１２の色彩が異なるため、マンションの各部屋が順次点灯されてくるように見え、現実の  マンションと同様なリアルな感じを与える。
また、補助板３０に描かれた人の図形３１が窓１２に人影として映るとさらに臨場感がでてきて、何種類もの光が各部屋ごとに灯され、あたかも中に人がいて電気をつけたように見え、模型が現実の住宅と同じようにリアルに感じられる。
【００２９】
従って本実施形態の模型１によれば、模型１の表わす当該マンションの外観を正確に表現するだけでなく、実際に居住した場合も想定できるため、見る者にとって当該マンションに住みたくなる気持ちを起こさせ購買意欲も起こさせるのである。
【００３０】
また、電源である電池５が基台２の内部に収納されているため、基台２と模型１を持ち運べ、移動が便利であるという効果がある。
【００３１】
本発明の実施形態２を説明する。
本実施形態は、図６に示すもので、前記実施形態１に加えて、基台２の内部に芳香発生装置６とスピーカーを内蔵した音響装置７を備えたものである。この芳香発生装置６と音響装置７は基台２の内部の任意の位置あるいは基台２の上部に置くこともできる。そして、芳香発生装置６と音響装置７及び人感センサ８は、前記制御装置４によってコントロールされていて、電池５を電源としている。
【００３２】
この構成によれば、前記ＬＥＤ２９の点灯と同期して芳香発生装置６を作動させ所定の香りを孔部６ａより放出し、同様に音響装置７を作動させ所定の音楽を流すことができる。
また、前記人感センサ８によって、人が模型１に近づくと芳香発生装置６と音響装置７が自動的に作動するように設定することもできる。
【００３３】
本実施形態では、模型１に表現された当該マンションの雰囲気を照明だけでなく香りと音楽によって表現でき、見る者の購買意欲を高めることができる。また、前記芳香発生装置６と音響装置７は、前記以外の任意の時間帯に作動するようにコントロールすることもできる。
【００３４】
本発明の実施形態３を説明する。
本実施形態は、図７に示すもので、前記各実施形態のマンションの模型１の周囲に、プロジェクタ５０とスクリーン５１を配置したものである。
このスクリーン５１は、基台２上で模型１の後部あるいは周囲に立設させて、基台２上のプロジェクタ５０によって、季節感を表わす風景、例えば春は桜の花が咲き、冬は雪が降っている風景の映像５２を、あるいは建築予定地の風景、例えば隣接した地域を人が歩いていたり、車が走ってる場面の映像を投影して、当該マンションの実際の状況を正確に表現して、見る者に正確に伝えることが可能となるのである。
【００３５】
これによって当該マンションを見る者は、実際に住んだ場合の住宅の環境をいながらにして体感することができ、さらに購買意欲が高まるのである。
【符号の説明】
【００３６】
１  建築物の模型
２  基台
３  樹木
４  制御装置
５  電池
６  芳香発生装置
７  音響装置
８  人感センサ
１１  壁
１２  窓
１３  フイルム（色彩手段）
２０  枠体
２７  スペース
２９  ＬＥＤ（照明手段）
３０  補助板
３１  人の図形
５０  プロジェクタ
５１  スクリーン
【図１】
2012083388.tif 000003
【図２】
2012083388.tif 000004
【図３】
2012083388.tif 000005
【図４】
2012083388.tif 000006
【図５】
2012083388.tif 000007
【図６】
2012083388.tif 000008
【図７】
2012083388.tif 000009